(57)【要約】  本発明は、仕上げストリップ（９）を固定する装置に関する。該装置は、壁部レッグ（３）を形成するホルダー（１）を備え、ホルダー（１）は、壁部レッグ（３）に対し横方向に位置をずらした上方に延びる収容ウェブ（８）を有する。収容ウェブ（８）は、仕上げストリップ（９）を締め付け固定するため、下方に向かって解放された仕上げストリップ（９）の収容溝（１０）に嵌合される。好ましい取り付けを実現するため、収容ウェブ（８）は、少なくとも３つのスプリングタング（１１、１２）を有し、これらのスプリングタング（１１、１２）は、自由な形態で上方に向かって延び、ウェブの長手方向に隣接して配置され、かつ壁部レッグ（３）を基準としてウェブと平行する軸を中心に、隣接するスプリングタングが交互に凹状、凸状に突出する。
2020530075.tif 000002
【特許請求の範囲】
【請求項１】
仕上げストリップ（９）を固定する装置であって、前記装置がマウント（１）を有し、  前記マウント（１）が壁部レッグ（３）を形成し、
前記マウント（１）が、前記仕上げストリップ（９）を締め付け固定するための下方に延びる収容ウェブ（８）を有し、該収容ウェブ（８）が前記壁部レッグ（３）に対して横方向にずれており、かつ前記仕上げストリップ（９）の底部に開いた収容溝（１０）に嵌合するようになっている、前記装置において
前記収容ウェブ（８）が、少なくとも３つのスプリングタング（１１、１２）を有し、前記スプリングタング（１１、１２）が、ウェブ長手方向に隣接して配置され、自由な形態で上方に延び、かつ前記壁部レッグ（３）を基準として前記ウェブと平行する軸を中心に、隣接するスプリングタング（１１、１２）が交互に凹状、凸状に突出することを特徴とする装置。
【請求項２】
前記スプリングタング（１１、１２）が、互いに反対方向を向く前記スプリングタング（１１、１２）の外面に、前記ウェブ長手方向に延びるキャッチリブを備えることを特徴とする請求項１に記載の装置。
【請求項３】
前記スプリングタング（１１、１２）が互いに交差し、その交差端部（１４）と共にさらなる支持部を形成することを特徴とする請求項１または請求項２に記載の装置。
【請求項４】
前記壁部レッグ（３）に対し凹状に延びる前記スプリングタング（１１）が、前記壁部レッグ（３）を起点として延び、前記壁部レッグ（３）に対し凸面状に延びる前記スプリングタング（１２）が、前記壁部レッグ（３）から延びる横断ウェブ（１５）を起点として延びることを特徴とする請求項１から請求項３までのいずれか１項に記載の装置。
【発明の詳細な説明】
【技術分野】
【０００１】
本発明は、仕上げストリップ固定装置に関する。この装置は、壁部レッグを形成するマウントを備え、マウントは、壁部レッグに対し横方向にずれて上方に延びる収容ウェブを有する。収容ウェブは、仕上げストリップを締め付け固定するため、仕上げストリップの底部に設けられた収容溝に嵌合される。
【背景技術】
【０００２】
フロア用の仕上げストリップを固定する目的で、プラスチックから成るマウントを使用することが知られている（欧州特許出願公開第２，１６９，１４３号（Ａ２））。そのマウントは、壁に固定可能な壁部レッグ、及び仕上げストリップのための収容ウェブを有しており、仕上げストリップは、壁に平行するその収容ウェブにはめ込まれるようになっている。収容ウェブは、壁部レッグに対し横方向に位置がずらされており、かつ壁に対しておおむね平行に延びている。この場合、収容ウェブは、仕上げストリップの収容溝に嵌合される。仕上げストリップの固定には、収容ウェブに設けられた固定リブも寄与する。非直線状の壁断面形状も想定されるため、マウントの収容ウェブに対して仕上げストリップをはめ込む際には、困難を伴うこともある。なぜなら、非直線状の壁断面形状の場合、仕上げストリップの収容溝に収容ウェブを嵌合させ、仕上げストリップをマウントに固定するには、仕上げストリップの長い部分に大きな遊びが必要だからである。他方、仕上げストリップの短い部分に関しては、そのような遊びがあると、収容ウェブと仕上げストリップとの十分な締め付け固定が困難になる。
【０００３】
収容ウェブを仕上げストリップの収容溝に確実に固定する目的では、ヘアピンの形状のように後方に曲げられたスプリングレッグを収容ウェブに対して備え付けることが知られている（国際公開第０２/０６６７６４号（Ａ２））。そのようにすることで、収容ウェブの上部挿入端を起点として延び、後方下側に曲げられたスプリングレッグは、収容ウェブが収容溝に挿入されると、初めにその張力によって収容ウェブに対して押し付けられる。これにより、締め付けリブが備え付けられている収容ウェブの締め付け部分が、収容溝の壁面に対して弾力性をもって接触し、したがって、非直線状の壁断面形状に関してではないが、マウントの収容ウェブと仕上げストリップの収容溝との締め付け固定に関しては公差の補償がなされる。
【先行技術文献】
【特許文献】
【０００４】
【特許文献１】欧州特許出願公開第２，１６９，１４３号明細書
【特許文献２】国際公開第０２/０６６７６４号
【発明の概要】
【発明が解決しようとする課題】
【０００５】
本発明の目的は、嵌合される仕上げストリップの各部の長さに関わらず、壁に固定されるマウントに対する仕上げストリップの嵌合を容易にするだけでなく、マウントと仕上げストリップとの確実な締め付け固定をも可能にする仕上げストリップ固定装置を提供することにある。
【課題を解決するための手段】
【０００６】
冒頭で述べた装置を引き続き説明すると、収容ウェブは、少なくとも３つのスプリングタングを有し、これらのスプリングタングは、ウェブの長手方向に隣接して配置され、自由な形態で（ｆｒｅｅｌｙ）上方に向かって延び、かつ壁部レッグを基準としてウェブと平行する軸を中心に、隣接するスプリングタングが交互に凹状、凸状に突出している。これにより、本発明の上記の目的は達成される。
自由な形態で上方に向かって延び、収容ウェブを形成するスプリングタングのそのような形状のため、つまり、マウントの壁部レッグを基準に隣接するスプリングタングが交互に凹状、凸状になっていることで、反対方向に突出するスプリングタング同士が、仕上げストリップの収容溝に嵌合される際、初めにそれらの張力によって互いに押し付けられる。その力は、突出部を有するスプリングタングが起点として延びる壁部レッグに対して横方向に、仕上げストリップの収容溝の対向する壁面に対して、締め付ける形でかかる。スプリングの自由端は上方に向かって延びているため、壁部レッグに対して横方向の比較的大きなバネ可動域が確保される。これにより、マウントが、締め付け効果を損なうことなく、非直線状の壁断面形状や直線状の仕上げストリップに対して都合よく対応できる。なぜなら、反対方向に突出するスプリングタングが、収容ウェブの中央面を基準とする２つの側の方向に、弾力性をもって曲げられるからである。
【０００７】
マウントの収容ウェブと仕上げストリップの収容溝との引き離れに対する抵抗を強めるため、スプリングタングには、互いに反対方向を向くスプリングタングの外面に、ウェブの長手方向に延びるキャッチリブを備えることができる。
【０００８】
スプリングタングは互いに交差し、交差端と共にさらなる支持部を形成するため、マウントと仕上げストリップとの締め付け固定はさらに改善される。
【０００９】
反対方向に突出する複数のスプリングタングに対して好適なバネ可動域を設けるため、壁部レッグに対して凹状に延びるスプリングタングは、壁部レッグを起点として延び、壁部レッグに対して凸面状に延びるスプリングタングは、壁部レッグから延在する横断ウェブを起点として延びる。これにより、スプリングタングの曲がりの長さが延び、非直線状の壁と直線状の壁仕上げストリップに対する形状的補償が改善される。
本発明の装置を添付の図面の例と共に説明する。
【図面の簡単な説明】
【００１０】
【図１】本発明による仕上げストリップ固定装置のマウント前面図である。
【図２】図１の線ＩＩ−ＩＩに沿った断面の拡大図である。
【図３】図１の線ＩＩＩ−ＩＩＩに沿った断面の拡大図である。
【発明を実施するための形態】
【００１１】
本発明の装置は、例えばプラスチックから成るマウント１を備える。マウント１は、壁２に固定可能な壁部レッグ３を形成する。壁部レッグ３は、ねじを固定するための楕円孔４を少なくとも1つ有する。また、壁部レッグ３は、底部レッグ５から延びる。底部レッグ５は、特定の分断点６を介して壁部レッグ３に連結されており、必要に応じて、壁部レッグ３から取り外すこともできる。この底部レッグ５により、マウント１は床材７に固定される。マウント１の上端部領域では、壁部レッグ３が仕上げストリップ９を壁２に固定するための収容ウェブ８を形成する。同じく仕上げストリップ９の固定の目的で、仕上げストリップ９には、収容溝７のために開放された収容溝１０がその上部に備えられている。収容ウェブ８は、壁部レッグ３を基準にして壁２から離間しており、かつ、壁２や壁部レッグ３に対して略平行に延びる。収容ウェブ８は、ウェブの長手方向に隣接して配置される少なくとも３つの、図示の好ましい実施形態においては４つの、スプリングタング１１、１２から成る。スプリングタング１１、１２は、自由な形態で上方に向かって延びており、壁部レッグ３を基準としてウェブと平行する軸を中心に、隣接するスプリングタングが交互に凹状、凸状に突出している。図２及び図３から推測されるように、スプリングタング１１は、壁部レッグ３に対し凹状の側面を有し、スプリングタング１２は、凸状の側面を有している。そして、仕上げストリップ９をマウント１にはめ込み、仕上げストリップ９を締め付け固定する際には、スプリングタング１１、１２が、初めにそれらの張力によって、収容溝の両壁面を横断する方向に互いに押し付けられる。理解を容易にするため図示してはいないが、突出部１３はさらに、締め付け固定を確実にするためのキャッチリブを有している。キャッチリブは、突出部１３の外側面に、ウェブの長手方向に延在する形で設けられており、収容溝１０の壁面を向いている。仕上げストリップ９の締め付け固定をさらに確実にするため、突出部１３が収容溝１０に挿入される際、突出部１３が溝の壁面によって内側に押され、それによって交差端部１４が外側に押し付けられると、スプリングタング１１、１２は互いに交差する形となり、交差端部１４と共にさらなる支持部を形成する。
【００１２】
図２及び図３においては、壁部レッグ３に対して凹状に延びるスプリングタング１１は、壁部レッグ３を起点として延びているが、壁部レッグ３に対して凸状に延びるスプリングタング１２は、壁部レッグ３から延在する横断ウェブ１５を起点として延びている。これにより、自由な形態で上方に向かって延びるスプリングタング１１、１２のバネ可動域は広げられる。結果として、湾曲した壁断面形状と直線状の仕上げストリップ９との均等化が改善され、収容ウェブ８によって仕上げストリップ９が締め付け固定される際の欠点を考慮する必要がなくなる。
【００１３】
マウント１はさらに、少なくとも１つの弾性ロックフック１６を備えてもよい。弾性ロックフック１６は、仕上げストリップ９がマウント１の収容ウェブ８にはめ込まれる際、仕上げストリップ９の収容部１７に引っかかるようになっており、仕上げストリップ９がマウント１から意図せずに外れることを防ぐことができる。
【図１】
2020530075.tif 000003
【図２】
2020530075.tif 000004
【図３】
2020530075.tif 000005
【国際調査報告】
2020530075.tif 000006
2020530075.tif 000007
2020530075.tif 000008
2020530075.tif 000009
2020530075.tif 000010
2020530075.tif 000011